(57)【要約】【課題】配線工事や配管工事全体を通して結束作業の効率を上げることが可能になる結束用ナイロンバンド及びその結束方法を提供する。【解決手段】基端部に連結孔２０を有し、該基端部から片面に係止溝１１を設けたバンド片１０が延長され、該バンド片１０を連結孔２０に挿入して連結孔２０内部の係止片２１に係止溝１１を係止する結束用ナイロンバンドを設ける。バンド片１０の先端部分を屈曲して屈曲部１２を形成する。該屈曲部１２の先端を上方に向けてバンド片の側面全体がＪ字状を成すように形成する。屈曲部１２の先端部分にバンド片１０の方向を向く触角部１３を形成する。該触角部１３が被固定部材Ｐの裏側から側面にかけて触れるように形成する。【選択図】  図１
2011259603.tif 000002
【特許請求の範囲】
【請求項１】
基端部に連結孔を有し、該基端部から係止溝を設けたバンド片が延長され、該バンド片を連結孔に挿入して連結孔内部の係止片に係止溝を係止する結束用ナイロンバンドにおいて、連結孔が上部にあるときに、下部にあるバンド片の先端部分を屈曲して屈曲部を形成し、該屈曲部の先端を上方に向けてバンド片の側面全体がＪ字状を成すように形成されたことを特徴とする結束用ナイロンバンド。
【請求項２】
前記屈曲部の先端部分に前記バンド片の方向を向く触角部が形成され、該触角部が被固定部材の裏側から側面にかけて触れるように形成された請求項１記載の結束用ナイロンバンド。
【請求項３】
前記触角部の先端と前記バンド片の内側との間隔を、前記被固定部材の幅と同一又は僅かに狭くなるように形成された請求項２記載の結束用ナイロンバンド。
【請求項４】
基端部に連結孔を有し、該基端部から係止溝を設けたバンド片が延長され、該バンド片を連結孔に挿入して連結孔内部の係止片に係止溝を係止する結束用ナイロンバンドにおいて、連結孔が上部にあるときに、下部にあるバンド片の先端部分を屈曲して屈曲部を形成し、該屈曲部の先端を上方に向けてバンド片の側面全体がＪ字状を成すように形成された結束用ナイロンバンドの使用方法であって、
バンド片の先端部分の最先端が連結孔方向を向くように更に屈曲されて形成した触角部を被固定部材の裏側に触れるように配し、該触角部を被固定部材の裏側から被固定部材の側面に沿って接触させながら被固定部材に近接する隙間に移動し、該隙間からケーブル又はパイプがわに戻した触角部の最先端を連結孔に挿入して連結することを特徴とするナイロンバンドの結束方法。
【発明の詳細な説明】
【技術分野】
【０００１】
本発明は、配線や配管をラックの子桁等に固定する際に使用する結束用ナイロンバンド及びその結束方法に係り、特に、ラックの表面に網状物が敷設されている場合でもナイロンバンドの結束が容易に行うことができる結束用ナイロンバンド及びその結束方法に関するものである。
【背景技術】
【０００２】
配線工事や配管工事において、ケーブルラックやパイプ支持具等にケーブルやパイプを固定する際に、ナイロンバンドが使用されている。このナイロンバンドは、針金等の金属製の結束具に比べて耐錆効果に優れ、結束強度も高く、しかも一端部に形成された連結孔に他端部を挿入するだけの操作で連結できることから、多くの作業に使用されている。
【０００３】
例えば、ケーブルラックにケーブルを配線する工事では、ケーブル側からケーブルラックの子桁にナイロンバンドを絡めてケーブルを固定する作業が行われる。この際、合成樹脂製のナイロンバンドの先端をケーブル側から子桁の裏に回し、再びナイロンバンド先端をケーブル側に戻してから連結する作業となる。この合成樹脂製のナイロンバンドは、可撓性に優れる反面、通常は直線状を成しているので、このナイロンバンドを子桁の裏に巻き付ける作業が困難であった。そのため、直線状のナイロンバンドを子桁の裏に回す作業を容易にするために、特許文献１のような固定具を使用することがある。
【０００４】
特許文献１の固定具は、ナイロンバンドを予め結束し易い屈曲状態で一体形成し、あるいは後から曲げた状態で取り付けるように構成したものである。このように、合成樹脂製のナイロンバンドを予め曲げた状態で取り付けておき、この固定具を子桁の裏側に配置することで、子桁に結束する作業が容易になるものである。
【０００５】
ところが、このような固定具等を使用できない場合に、直線的なナイロンバンドを子桁の裏側に巻き付ける作業が困難になる。そこで従来では、特許文献２や特許文献３の如き丸み形状を付けた合成樹脂製の結束バンドが提案されている。
【０００６】
特許文献２の結束バンドは、特にケーブルの分岐部分に使用するもので、結束バンドの形状を予め分岐部分の形状に合わせて屈曲形成したものである。また、特許文献３の結束バンドは、結束バンドのヘッドに形成してある連結孔に予め結束バンドの先端を挿入した状態で熱を加え、合成樹脂製の結束バンド全体の形状に丸みを付けたものである。
【０００７】
ところが、これら従来の丸みを付けた結束バンドは、もともとの直線状を成したナイロンバンドと比較して、使用可能な作業が限定される不都合がある。すなわち、特許文献２の結束バンドはケーブルの分岐部分専用に形成されているため、分岐部分への巻き付け作業が容易になっても、子桁等の部材にケーブルを固定するような一般的な結束作業をすることは困難である。
【０００８】
一方、特許文献３のような丸みを帯びた結束バンドは、パイプのような径の太い部材に巻き付け易くなっているが、ケーブルのように細い部材や隙間を通して子桁に絡めて結束する作業などには向いていない。特に、ケーブルの配線作業は、何本ものケーブルを隣接した状態でそれぞれ結束する作業になるため、ケーブル間の狭い隙間から子桁に絡ませた結束バンドを再び狭い隙間からケーブル側に戻す作業が不可欠になる。このような作業には、特許文献３のような全体に丸みを帯びた結束バンドは、従来の直線状のナイロンバンドに比べて操作性が悪くなる。
【０００９】
そのため、ケーブルと子桁との結束作業を容易にする手段として、特許文献４に記載の結束バンド取付具が提案されている。この取付具は、直線状のナイロンバンドの先端に装着してこの先端部の形状を半月状に強制的に曲げることで、隙間を通す作業を容易にしようとしたものである。
【先行技術文献】
【特許文献】
【００１０】
【特許文献１】特許第３２８１５７８号公報
【特許文献２】特許第４１７９０７２号公報
【特許文献３】特開２００５‐３２４８５７号公報
【特許文献４】特開２００５‐３１２２８１号公報
【発明の概要】
【発明が解決しようとする課題】
【００１１】
ところが、特許文献４では、ナイロンバンドの先端に取付具を装着して隙間に挿入し、その後、ナイロンバンドの先端から取付具を外して結束する作業になるので、隙間への挿入作業を容易にすることは可能でも、ナイロンバンドによるケーブル固定作業全体が極めて面倒な作業になってしまう。しかも、ナイロンバンドの先端部が半月状に屈曲されているので、隙間を通した後に、再びケーブル側に戻す作業が容易になるのは、この半月状の先端部を操作する余裕のある隙間に限られる。すなわち、半月状の先端部を隙間に挿入することは容易であっても、その後、子桁の裏から再びケーブル側に戻す際に、ナイロンバンドに固定した半月状の取付具ごと手前に戻す作業になる。そのため、この取付具の向きを変える余裕のない隙間では、結束ケーブルをケーブル側に再び戻すことができなくなるおそれがある。
【００１２】
また、ケーブルラックでは、多数のケーブルを密接した状態で次々と固定する作業になるので、ナイロンバンドを通す隙間は自然と狭くならざるを得ない。したがって、特許文献３や特許文献４のナイロンバンドでは、ナイロンバンドを通す隙間に余裕のある初期状態など、限られた条件で使用できるとしても、配線工事全体を通して結束作業の効率を上げることは極めて困難であった。
【００１３】
更に、人目に触れる場所に設置されたケーブルラックなどでは、網目状の遮蔽板でケーブルを覆うこともある。この場合の遮蔽板は、ケーブルラックとケーブルとの間に介されるので、ケーブルを子桁に固定するには、この遮蔽板の網目にナイロンバンドを通して行われる。したがって、網目状の遮蔽板を介したケーブルの配線工事では、特許文献３や特許文献４の如きナイロンバンドによってケーブルを結束することは不可能になる。
【００１４】
そこで本発明は、上述の課題を解消するために創出されたもので、配線工事や配管工事全体を通して結束作業の効率を上げることが可能になり、たとえ、網目状の遮蔽板が装着された状態でも極めて容易に結束することができる結束用ナイロンバンド及びその結束方法の提供を目的とするものである。
【課題を解決するための手段】
【００１５】
上述の目的を達成すべく本発明における第１の手段は、基端部に連結孔２０を有し、該基端部から係止溝１１を設けたバンド片１０が延長され、該バンド片１０を連結孔２０に挿入して連結孔２０内部の係止片２１に係止溝１１を係止する結束用ナイロンバンドにおいて、連結孔２０が上部にあるときに下部にあるバンド片１０の先端部分を屈曲して屈曲部１２を形成し、該屈曲部１２の先端を上方に向けてバンド片の側面全体がＪ字状を成すように形成されたことにある。
【００１６】
第２の手段は、前記屈曲部１２の先端部分に前記バンド片１０の方向を向く触角部１３が形成され、該触角部１３が被固定部材Ｐの裏側から側面にかけて触れるように形成されたものである。
【００１７】
第３の手段の前記触角部１３は、該触角部１３の先端と前記バンド片１０の内側との間隔を、前記被固定部材の幅と同一又は僅かに狭くなるように形成されている。
【００１８】
第４の手段は、基端部に連結孔２０を有し、該基端部から係止溝１１を設けたバンド片１０が延長され、該バンド片１０を連結孔２０に挿入して連結孔２０内部の係止片２１に係止溝１１を係止する結束用ナイロンバンドにおいて、連結孔２０が上部にあるときに、下部にあるバンド片１０の先端部分を屈曲して屈曲部１２を形成し、該屈曲部１２の先端を上方に向けてバンド片の側面全体がＪ字状を成すように形成された結束用ナイロンバンドの使用方法であって、
バンド片１０の先端部分の最先端が連結孔２０方向を向くように更に屈曲されて形成した触角部１３を被固定部材Ｐの裏側に触れるように配し、該触角部１３を被固定部材Ｐの裏側から被固定部材Ｐの側面に沿って接触させながら被固定部材Ｐに近接する隙間に移動し、該隙間からケーブルＱ又はパイプがわに戻した触角部１３の最先端を連結孔２０に挿入して連結することを課題解消のための手段とする。
【発明の効果】
【００１９】
本発明のナイロンバンドによると、バンド片１０の最先端が上方を向いてバンド片１０の側面全体がＪ字状を成すように形成したことで、ケーブル間の狭い隙間から子桁等に絡ませたナイロンバンドを再び狭い隙間からケーブル側に戻す作業を極めて容易に行うことができる。しかも、特許文献４のようにナイロンバンドの先端に取付具を着脱する作業は必要ないので、配線工事や配管工事全体を通して結束作業の効率を上げることができる。
【００２０】
また、多数のケーブルを密接した状態で次々と固定する作業などのように、ナイロンバンドを通す隙間が自然と狭くならざるを得ない状況でも、作業効率を下げずに結束することができる。この結果、特許文献３や特許文献４のナイロンバンドのように、使用可能な状況として余裕のある隙間に限られるといった従来の課題を解消することができた。
【００２１】
更に、本発明の触角部１３により、被固定部材Ｐの裏側の位置を確認しながら絡めることができるので、作業性に優れ、僅かな隙間を利用してこれまで実現できなかった効率的な結束作業が行える。
【００２２】
しかも、触角部１３の先端と前記バンド片１０の内側との間隔を、前記被固定部材の幅と同一又は僅かに狭くなるように形成することで、被固定部材とケーブルとの間に網目状の遮蔽板が装着された状態でも、被固定部材の側面に近接する位置の網目を検索して触角部１３を通すことができる。この結果、従来の結束具では困難であった遮蔽板を介したケーブル配線工事にも使用することができる。
【図面の簡単な説明】
【００２３】
【図１】本発明の一実施例を示す側面図である。
【図２】本発明の一実施例を示す正面図である。
【図３】本発明の触角部の動きを示す側面図である。
【図４】（イ）乃至（ハ）は本発明の操作状態を示す側面図である。
【図５】（イ）乃至（ホ）は本発明の実施例を示す要部側面図である。
【図６】本発明の使用状態を示す斜視図である。
【図７】本発明の他の使用状態を示す斜視図である。
【図８】本発明の他の使用状態を示す側面図である。
【発明を実施するための形態】
【００２４】
本発明によると、配線工事や配管工事全体を通して結束作業の効率を上げることが可能になり、たとえ、網目状の遮蔽板が装着された状態でも極めて容易に結束することができるなどといった当初の目的を達成した。
【実施例】
【００２５】
以下、本発明の実施例を説明する。本発明は、一般的に使用されている結束用のナイロンバンドを改良したものである。すなわち、基端部に連結孔２０を有し、該基端部から片面に係止溝１１を設けたバンド片１０が延長され、該バンド片１０を連結孔２０に挿入し、連結孔２０内部の係止片２１に係止溝１１を係止して連結するナイロンバンドを使用する（図１、図２、図３参照）。
【００２６】
便宜上、連結孔２０を上部にしてバンド片１０を下部にした状態で説明すると、バンド片１０の先端部分を屈曲して屈曲部１２を形成する。このとき、屈曲部１２の先端が上方を向いてバンド片１０の側面全体がＪ字状を成すように形成されている（図１参照）。また、図示例では、バンド片１０の係止溝１１が内側になるように形成しているが、この係止溝１１は、連結孔２０内部の係止片２１の位置に対応して形成されるものである。
【００２７】
バンド片１０は、屈曲部１２の先端部が鉛直上方を向いた形状でも十分使用可能であるが、特に、バンド片１０の屈曲部１２に触角部１３を形成することで、後述する結束方法が可能になる。
【００２８】
この触角部１３は、先端部分からバンド片１０の最先端がバンド片１０の方向を向くように形成されたもので、被固定部材Ｐの裏側から側面にかけて触れ易くする部材である。このとき、触角部１３の先端とバンド片１０の内側との間隔を、子桁等の被固定部材Ｐの幅と同一又は僅かに狭くなるように形成することで、更に触角部１３の操作性を高め、被固定部材ＰとケーブルＱとの間に遮蔽板Ｒを介した工事でも、被固定部材Ｐに近接した遮蔽板Ｒの網目を探索して挿通させることができる。
【００２９】
尚、本発明で側面全体がＪ字状を成すとは、直線状のバンド片１０に屈曲部１２を形成した状態を示している。更に、本発明では、図５（イ）乃至（ホ）に示す各形状を全て含むものとする。すなわち、同図（イ）は、円弧状の屈曲部１２に直線状の触角部１３を設けた形状である。また、同図（ロ）は、屈曲部１２と触角部１３とが連続して釣り針形状を成し、同図（ハ）は、屈曲部１２と触角部１３とが円形を成しているものである。更に、同図（ニ）や（ホ）のように、角部を有する屈曲部１２と直線状の触角部１３とを組み合わせた形状である。本発明では、このような各種の形状を全て含めて、バンド片１０の側面全体がＪ字状を成すと称するものである。
【００３０】
次に、図３及び図４にて本発明結束方法を説明する。この結束方法では、特に、網目状の遮蔽板Ｒを被固定部材Ｐに配し、結束作業が最も困難な状態で説明する。始めに、図３に示す如く、屈曲部１２に形成した触角部１３を遮蔽板Ｒの網目Ｒ１を通して被固定部材Ｐの裏側に触れるように配置する（同図の実線部分参照）。この状態で、バンド片１０を上方に引き上げると、屈曲部１２が変形して広がり、触角部１３が被固定部材Ｐの裏側に沿って移動して行く（同図の一点鎖線部分参照）。そして、この触角部１３が被固定部材Ｐの裏側から被固定部材Ｐの側面に沿って移動した後は、図４（イ）の如く、バンド片１０の位置を垂直にする。次に、同図（ロ）の如く、この状態からバンド片１０を上方に引き上げると、屈曲部１２が変形して広がり、触角部１３に開こうとする力が働く。この結果、触角部１３が被固定部材Ｐに最も近い網目Ｒ１まで移動し、同図（ハ）の如く、この網目Ｒ１からケーブルＱがわに簡単に戻すことができる。このように戻された触角部１３の先端を連結孔２０に挿入して緊締すると結束作業が終了する。
【００３１】
図６乃至図８は、本発明ナイロンバンドの使用状態の例を示している。すなわち、図６は、被固定部材ＰであるケーブルラックとケーブルＱとの間に網目状の遮蔽板Ｒを配した使用状態である。また、図７は、壁面に装着されたラックの子桁を被固定部材Ｐとして本発明ナイロンバンドを巻き付けた状態を示している。更に、図８は、本発明ナイロンバンドを使用してケーブルラックに遮蔽板Ｒを固定した状態を示している。この作業の場合、ケーブルラックの下面側から本発明ナイロンバンドを取り付けることができる。このように、本発明ナイロンバンドは、あらゆる場面で各種の部材を結束し、固定することが可能である。
【産業上の利用可能性】
【００３２】
本発明の実施例において、本発明ナイロンバンドの材質や各構成は図示例に限定されるものではなく、本発明の要旨を変更しない範囲で自由な変更が可能である。例えば、結束用のナイロンバンドが他の合成樹脂材の結束バンドに変更されたり、金属材等を芯材として内包した結束バンドに変更されたりしても、本発明の屈曲部１２や触角部１３を利用することが可能である。
【符号の説明】
【００３３】
Ｐ  被固定部材
Ｑ  ケーブル
Ｒ  遮蔽板
Ｒ１  網目
１０  バンド片
１１  係止溝
１２  屈曲部
１３  触角部
２０  連結孔
２１  係止片
【図１】
2011259603.tif 000003
【図２】
2011259603.tif 000004
【図３】
2011259603.tif 000005
【図４】
2011259603.tif 000006
【図５】
2011259603.tif 000007
【図６】
2011259603.tif 000008
【図７】
2011259603.tif 000009
【図８】
2011259603.tif 000010